(57)【特許請求の範囲】
【請求項１】
対象物が画面に触れた位置を検出するセンシング装置において、
複数の走査線と複数の読出線との交差に対応して前記画面上に配列され、入射される光量に応じた大きさの第１検出信号を各々生成する複数のセンサと、
前記複数の走査線の各々を順次選択する通常モードと、前記複数の走査線をＮ（２以上の整数）本ごとに１本の割合で順次選択する間引きモードとで動作可能な選択手段と、
前記選択手段によって選択された前記走査線に対応する前記センサから前記複数の読出線を介して前記第１検出信号を各々読み出す読出手段と、
前記対象物が前記画面に近づいて前記対象物と前記画面との距離が一定の距離以下に至ったか否かを判定するために設定された第１閾値と、前記対象物が前記画面に非接触であるか否かを判定するために設定された第２閾値とを使用可能であり、前記読出手段によって読み出された前記各第１検出信号を、前記第１閾値と前記第２閾値のどちらか一方と比較して、２値化された第２検出信号を各々生成する２値化手段と、
前記２値化手段によって前記各第１検出信号が前記第１閾値と比較されて前記第２検出信号が各々生成された場合、前記各第２検出信号に基づいて、前記対象物が前記画面に近づいて前記対象物と前記画面との距離が一定の距離以下に至ったことを検知し、前記２値化手段によって前記各第１検出信号が前記第２閾値と比較されて前記第２検出信号が各々生成された場合、前記各第２検出信号に基づいて、前記対象物が前記画面に非接触であることを検知する検知手段と、
前記２値化手段によって前記各第１検出信号が前記第２閾値と比較されて前記第２検出信号が各々生成された場合、前記各第２検出信号に基づいて、前記対象物が前記画面に接触している位置を検出する検出手段と、
前記通常モードと前記間引きモードとの間の移行を管理するとともに前記第１閾値と前記第２閾値との変更を管理し、前記間引きモードにおいて、前記検知手段によって前記対象物が前記画面に近づいて前記対象物と前記画面との距離が一定の距離以下に至ったことが検知されると、前記通常モードへ移行するように前記選択手段を制御するとともに、前記各第１検出信号を前記第２閾値と比較して前記第２検出信号を各々生成するように前記２値化手段を制御し、前記通常モードにおいて、所定時間連続して前記検知手段によって前記対象物が前記画面に非接触であることが検知されると、前記間引きモードへ移行させるように前記選択手段を制御するとともに、前記各第１検出信号を前記第１閾値と比較して前記第２検出信号を各々生成するように前記２値化手段を制御する制御手段と、
を備えることを特徴とするセンシング装置。
【請求項２】
請求項１に記載のセンシング装置と、
画像を表示する表示部と、
を備えることを特徴とする表示装置。
【請求項３】
前記検出手段によって検出された位置の軌跡を示す画像を生成して前記表示部に表示する表示制御手段を備える
ことを特徴とする請求項２に記載の表示装置。
【請求項４】
請求項２または請求項３に記載の表示装置を備えた電子機器。
【請求項５】
複数の走査線と複数の読出線との交差に対応して画面上に配列され、入射される光量に応じた大きさの第１検出信号を各々生成する複数のセンサを用いて、対象物が前記画面に触れた位置を検出するセンシング方法であって、
間引きモードにおいて、
前記複数の走査線をＮ（２以上の整数）本ごとに１本の割合で順次選択して、前記走査線に対応する前記センサから前記複数の読出線を介して前記第１検出信号を各々読み出し、
前記各第１検出信号を、前記対象物が前記画面に近づいて前記対象物と前記画面との距離が一定の距離以下に至ったか否かを判定するために設定された第１閾値と比較して第２検出信号を各々生成し、
前記各第２検出信号に基づいて前記対象物が前記画面に近づいて前記対象物と前記画面との距離が一定の距離以下に至ったことを検知すると、通常モードへ移行し、
前記通常モードにおいて、
前記複数の走査線の各々を順次選択して、前記走査線に対応する前記センサから前記複数の読出線を介して前記第１検出信号を各々読み出し、
前記各第１検出信号を、前記対象物が前記画面に非接触であるか否かを判定するために設定された第２閾値と比較して前記第２検出信号を各々生成し、
前記各第２検出信号に基づいて所定時間連続して前記対象物が前記画面に非接触であることを検知すると、前記間引きモードへ移行するセンシング方法。
【発明の詳細な説明】
【技術分野】
【０００１】
本発明は、指やペン等の対象物が画面に触れた位置を検出するセンシング装置、表示装置、電子機器およびセンシング方法に関する。
【背景技術】
【０００２】
特許文献１には、指やライトペンで指示された画面上の座標位置を検出する液晶表示装置が記載されている。この液晶表示装置は、入射光を撮像する画像読取センサ３３を画素ごとに備え、指やライトペンを画面に近づけたり接触させたときの撮像データの変化から、座標位置を検出する。また、この液晶表示装置では、画素アレイ部１に配列された総ての画像読取センサ３３から撮像データを読み出すのではなく、撮像データの読み出しを行方向については４行ごとに、列方向については３列ごとに行っている。
【０００３】
【特許文献１】特開２００４−３１８８１９号公報
【発明の開示】
【発明が解決しようとする課題】
【０００４】
ところで、特許文献１に記載された液晶表示装置では、撮像データの読み出し対象となる複数の画像読取センサ３３が固定されており、常に同じ複数の画像読取センサ３３から撮像データを読み出している。したがって、タッチ入力が長時間ない場合であっても、タッチ入力がある場合と同じ個数の画像読取センサ３３から撮像データを読み出さなければならず、余計な電力消費が生じてしまう。
【０００５】
本発明は、上述した課題に鑑みてなされたものであり、消費電力を低減可能なセンシング装置、表示装置、電子機器およびセンシング方法を提供することを課題とする。
【課題を解決するための手段】
【００１２】
上述した課題を解決するため、本発明に係るセンシング装置は、対象物が画面に触れた位置を検出するセンシング装置において、複数の走査線と複数の読出線との交差に対応して前記画面上に配列され、入射される光量に応じた大きさの第１検出信号を各々生成する複数のセンサと、前記複数の走査線の各々を順次選択する通常モードと、前記複数の走査線をＮ（２以上の整数）本ごとに１本の割合で順次選択する間引きモードとで動作可能な選択手段と、前記選択手段によって選択された前記走査線に対応する前記センサから前記複数の読出線を介して前記第１検出信号を各々読み出す読出手段と、前記対象物が前記画面に近づいて前記対象物と前記画面との距離が一定の距離以下に至ったか否かを判定するために設定された第１閾値と、前記対象物が前記画面に非接触であるか否かを判定するために設定された第２閾値とを使用可能であり、前記読出手段によって読み出された前記各第１検出信号を、前記第１閾値と前記第２閾値のどちらか一方と比較して、２値化された第２検出信号を各々生成する２値化手段と、前記２値化手段によって前記各第１検出信号が前記第１閾値と比較されて前記第２検出信号が各々生成された場合、前記各第２検出信号に基づいて、前記対象物が前記画面に近づいて前記対象物と前記画面との距離が一定の距離以下に至ったことを検知し、前記２値化手段によって前記各第１検出信号が前記第２閾値と比較されて前記第２検出信号が各々生成された場合、前記各第２検出信号に基づいて、前記対象物が前記画面に非接触であることを検知する検知手段と、前記２値化手段によって前記各第１検出信号が前記第２閾値と比較されて前記第２検出信号が各々生成された場合、前記各第２検出信号に基づいて、前記対象物が前記画面に接触している位置を検出する検出手段と、前記通常モードと前記間引きモードとの間の移行を管理するとともに前記第１閾値と前記第２閾値との変更を管理し、前記間引きモードにおいて、前記検知手段によって前記対象物が前記画面に近づいて前記対象物と前記画面との距離が一定の距離以下に至ったことが検知されると、前記通常モードへ移行するように前記選択手段を制御するとともに、前記各第１検出信号を前記第２閾値と比較して前記第２検出信号を各々生成するように前記２値化手段を制御し、前記通常モードにおいて、所定時間連続して前記検知手段によって前記対象物が前記画面に非接触であることが検知されると、前記間引きモードへ移行させるように前記選択手段を制御するとともに、前記各第１検出信号を前記第１閾値と比較して前記第２検出信号を各々生成するように前記２値化手段を制御する制御手段と、を備えることを特徴とする。
【００１３】
本発明によれば、通常モードにおいて、対象物が画面に非接触であることを所定時間連続して検知すると、選択手段の動作を間引きモードに移行させる。選択手段は、間引きモードの場合、走査線をＮ本ごとに１本の割合で順次選択する。一方、間引きモードにおいて、対象物が画面に近づいて対象物と画面との距離が一定の距離以下に至ったことを検知すると、選択手段の動作を通常モードに移行させる。選択手段は、通常モードの場合、総ての走査線を１本ずつ順次選択する。
したがって、対象物が画面に非接触であることを所定時間連続して検知してから、次に対象物と画面との距離が一定の距離以下になったことを検知するまでの間は、選択手段を間引きモードで動作させることで、第１検出信号を読み出すセンサの個数を通常モードの場合の１／Ｎに減らすことができる。このため、第１検出信号の読み出しや２値化信号の生成に要する処理負荷を１／Ｎに軽減することができ、その分だけ電力消費を低減することができる。一方、対象物と画面との距離が一定の距離以下になったことを検知してから、次に対象物が画面に非接触であることを所定時間連続して検知するまでの間は、選択手段を通常モードで動作させることで、画面上に配列された総てのセンサから第１検出信号を読み出し、高い精度でタッチ判定やタッチ位置の検出を行うことが可能になる。特に、選択手段の動作を間引きモードから通常モードに移行させるタイミングを、対象物が画面に接触したことを検知したときではなく、対象物と画面との距離が一定の距離以下になったことを検知したときにすることで、対象物が実際に画面に触れる前に、タッチ判定やタッチ位置の検出に関する精度を高めておくことができる。
なお、「画面上に配列され」とは、例えば、複数のセンサを備えたタッチパネルを画面上に貼り付けている場合に加え、後述する実施形態に記載しているように複数のセンサを表示パネルに内蔵している場合を含む。また、「対象物」とは、例えば、指やタッチペン等である。
【００１４】
また、本発明に係る表示装置は、上述したいずれかのセンシング装置と、画像を表示する表示部とを備えることを特徴とする。この表示装置には、例えば、液晶素子やＯＬＥＤ素子を用いた表示装置が含まれる。また、上述した表示装置は、前記検出手段によって検出された位置の軌跡を示す画像を生成して前記表示部に表示する表示制御手段を備える構成であってもよい。
また、本発明に係る電子機器は、上述した表示装置を備えることを特徴とする。この電子機器には、例えば、パーソナルコンピュータや携帯電話機、携帯情報端末等が含まれる。
【００１５】
また、本発明に係るセンシング方法は、複数の走査線と複数の読出線との交差に対応して画面上に配列され、入射される光量に応じた大きさの第１検出信号を各々生成する複数のセンサを用いて、対象物が前記画面に触れた位置を検出するセンシング方法であって、間引きモードにおいて、前記複数の走査線をＮ（２以上の整数）本ごとに１本の割合で順次選択して、前記走査線に対応する前記センサから前記複数の読出線を介して前記第１検出信号を各々読み出し、前記各第１検出信号を、前記対象物が前記画面に近づいて前記対象物と前記画面との距離が一定の距離以下に至ったか否かを判定するために設定された第１閾値と比較して第２検出信号を各々生成し、前記各第２検出信号に基づいて前記対象物が前記画面に近づいて前記対象物と前記画面との距離が一定の距離以下に至ったことを検知すると、通常モードへ移行し、前記通常モードにおいて、前記複数の走査線の各々を順次選択して、前記走査線に対応する前記センサから前記複数の読出線を介して前記第１検出信号を各々読み出し、前記各第１検出信号を、前記対象物が前記画面に非接触であるか否かを判定するために設定された第２閾値と比較して前記第２検出信号を各々生成し、前記各第２検出信号に基づいて所定時間連続して前記対象物が前記画面に非接触であることを検知すると、前記間引きモードへ移行することを特徴とする。
【発明を実施するための最良の形態】
【００１７】
以下の実施形態では、本発明に係るセンシング装置を透過型の液晶表示装置に適用した場合について説明する。
＜１．実施形態＞
図１は、本実施形態に係る液晶表示装置１の構成を示すブロック図である。
同図に示すように、液晶表示装置１は、液晶パネルＡＡ、制御回路３００、および画像処理回路４００を備える。液晶パネルＡＡは、スイッチング素子として薄膜トランジスタ（Thin Film Transistor）を形成した素子基板と対向基板とを互いに電極形成面を対向させ、かつ一定の間隙を保って貼付したものであり、この間隙に液晶が挟持される。また、液晶パネルＡＡは、その素子基板上に、画像表示領域Ａ、走査線駆動回路１００、データ線駆動回路２００、センサ用走査回路５００、および受光信号処理回路６００を備える。画像表示領域Ａには、ｍ（行）×ｎ（列）個の画素回路Ｐ１がマトリクス状に形成され、各画素回路Ｐ１は走査線駆動回路１００とデータ線駆動回路２００に電気的に接続される。
【００１８】
制御回路３００は、走査線駆動回路１００とデータ線駆動回路２００に対し、クロック信号や各種の制御信号を供給する。画像処理回路４００は、入力画像データＤinに画像処理を施して出力画像データＤoutを生成し、これをデータ線駆動回路２００に出力する。走査線駆動回路１００は、マトリクス状に配列する画素回路Ｐ１を行単位で順次選択する。また、データ線駆動回路２００は、走査線駆動回路１００によって順次選択される１行分（ｎ個）の画素回路Ｐ１の各々に対し、データ信号を供給する。なお、図示を省略しているが、液晶パネルＡＡの背面にはバックライトが設けられており、このバックライトからの光は画像表示領域Ａを介して射出される。前述したように、画像表示領域Ａには複数の画素回路Ｐ１がマトリクス状に配列しているため、データ線駆動回路２００から供給されるデータ信号の電圧レベルに応じて画素回路Ｐ１ごとに透過率が制御される。これによって光変調による階調表示が可能となり、画像表示領域Ａに画像が表示される。
【００１９】
また、液晶表示装置１はタッチ入力機能を備えており、画像表示領域Ａには画素回路Ｐ１ごとに光検出回路Ｏ１が設けられている。より具体的に説明すると、画像表示領域Ａには、Ｘ方向に延在するｍ本の走査線と、Ｙ方向に延在するｎ本の読出線とが形成され、走査線と読出線との交差に対応して、ｍ（行）×ｎ（列）個の光検出回路Ｏ１が配置される。各光検出回路Ｏ１は、光センサを備え、入射光の光量に応じた信号レベルの受光信号を出力する。制御回路３００は、センサ用走査回路５００に対し、クロック信号や走査用の制御信号を供給する。また、制御回路３００は、受光信号処理回路６００に対し、クロック信号や受光信号処理用の制御信号を供給する。
【００２０】
センサ用走査回路５００は、マトリクス状に配列する光検出回路Ｏ１を、走査信号Ｙ１，Ｙ２，Ｙ３，…，Ｙｍを用いて順次選択する。詳細については後述するが、このセンサ用走査回路５００は、動作モードとして、ｍ本の走査線を１本ずつ順次選択する通常モードと、ｍ本の走査線を１０本ごとに１本の割合で順次選択する間引きモードとを備え、制御回路３００からの指示に従っていずれか一方の動作モードで動作する。また、受光信号処理回路６００は、センサ用走査回路５００によって順次選択される１行分（ｎ個）の光検出回路Ｏ１からｎ本の読出線を介して受光信号Ｘ１，Ｘ２，Ｘ３，Ｘ４，…，Ｘｎを読み出し、これを制御回路３００に供給する。制御回路３００は、センサ用走査回路５００と受光信号処理回路６００を制御して、１画面分の受光信号を所定の周期（例えば６０Ｈｚ）で読み出す。なお、１画面分の受光信号の個数は、センサ用走査回路５００の動作モードが通常モードであればｍ×ｎ個になるが、センサ用走査回路５００の動作モードが間引きモードであればｍ×ｎ／１０個（通常モードの場合の１／１０）になる。
【００２１】
ところで、例えば、日中の自然光の下に液晶表示装置１がある場合等、液晶表示装置１の周囲が明るい場合は、画像表示領域Ａ（表示画面）において、指やタッチペンの接触した部分が影となり、この部分の受光量が他の部分の受光量よりも低下する。つまり、指やタッチペンが表示画面に対してある程度接近すると表示画面上に淡い影ができ、指やタッチペンがさらに表示画面に接近するにつれ影が徐々に濃くなる。この際、表示画面において影ができた部分にある光検出回路Ｏ１（光センサ）の受光量は、影が濃くなるにつれ徐々に低下する。逆に、夜間の暗い環境の下に液晶表示装置１がある場合等、液晶表示装置１の周囲が暗い場合は、バックライトからの光が指やタッチペンによって反射されるため、表示画面において指やタッチペンが接触した部分の受光量が他の部分の受光量よりも増加する。つまり、指やタッチペンが表示画面に対してある程度接近すると、バックライトからの光が指やタッチペンによって反射され、表示画面上には反射光の当たる部分ができる。この部分の反射光の強さは、指やタッチペンがさらに表示画面に接近するにつれ徐々に大きくなる。この際、表示画面において反射光が当たっている部分にある光検出回路Ｏ１（光センサ）の受光量は、指やタッチペンの接近に伴って反射光が強くなるほど増加する。
【００２２】
したがって、制御回路３００では、１画面分の受光信号に基づいて、指やタッチペンが表示画面に接触しているか否か（タッチの有無）を判定することができる。また、制御回路３００では、１画面分の受光信号に基づいて、指やタッチペンが表示画面の近くまで接近しているか否か（接近の有無）を判定することができる。なお、接近の有無を判定できる距離は、各光検出回路Ｏ１の受光量から指やタッチペンの影または反射光を検知し得る距離となる。
【００２３】
具体的に説明すると、制御回路３００では、まず、読み出した１画面分の受光信号について、受光信号ごとにその信号レベルを閾値と比較して２値化信号に変換する（２値化処理）。なお、この２値化処理の際に使用する閾値は、大別すると２つある。１つは、タッチ判定用の閾値Ｔである。この閾値Ｔは、受光信号の信号レベルが、指やタッチペンを表示画面に接触させたときの受光量のレベルに到達しているか否かを判定するためのものである。もう１つは、接近判定用の閾値Ｓである。この閾値Ｓは、受光信号の信号レベルが、指やタッチペンを画面の近くまで接近させたときの受光量のレベルに到達しているか否かを判定するためのものである。例えば、タッチ判定用の閾値Ｔは、表示画面上において指やタッチペンが実際に接触した部分にある光検出回路Ｏ１の受光量（受光信号の信号レベル）について多数のサンプルデータを取得することで、取得したサンプルデータに基づいてその値を設定することができる。同様に接近判定用の閾値Ｓについても、表示画面上において指やタッチペンが実際に接近した部分にある光検出回路Ｏ１の受光量について多数のサンプルデータを取得することで、取得したサンプルデータに基づいてその値を設定することができる。
【００２４】
つまり、上述した２値化処理の際に閾値としてタッチ判定用の閾値Ｔを使用した場合、制御回路３００では、各受光信号の信号レベルが、指やタッチペンを表示画面に接触させたときの受光量のレベルに到達しているか否かを判定することになり、到達している場合と、到達していない場合とで異なる信号値を有する２値化信号に変換することになる。一方、上述した２値化処理の際に閾値として接近判定用の閾値Ｓを使用した場合、制御回路３００では、各受光信号の信号レベルが、指やタッチペンを表示画面の近くまで接近させたときの受光量のレベルに到達しているか否かを判定ことになり、到達している場合と、到達していない場合とで異なる信号値を有する２値化信号に変換することになる。なお、センサ用走査回路５００の動作モードが通常モードであれば、１画面分の受光信号はｍ×ｎ個あるので、これに対応して２値化信号もｍ×ｎ個生成される。また、センサ用走査回路５００の動作モードが間引きモードであれば、１画面分の受光信号はｍ×ｎ／１０個あるので、これに対応して２値化信号もｍ×ｎ／１０個生成される。
【００２５】
また、実際には、液晶表示装置１の周囲が明るい場合と暗い場合で異なる閾値を使用する必要がある。つまり、タッチ判定用の閾値Ｔとして、液晶表示装置１の周囲が明るい場合に使用する閾値Ｔ１と、液晶表示装置１の周囲が暗い場合に使用する閾値Ｔ２が必要になる。また、接近判定用の閾値Ｓについても同様に、液晶表示装置１の周囲が明るい場合に使用する閾値Ｓ１と、液晶表示装置１の周囲が暗い場合に使用する閾値Ｓ２が必要になる。これらのタッチ判定用の閾値Ｔ１，Ｔ２と、接近判定用の閾値Ｓ１，Ｓ２は、液晶表示装置１内に備わるメモリ（図示略）に記憶されている。
【００２６】
例えば、液晶表示装置１の周囲が明るく、表示画面において指やタッチペンの接触した部分が影になる場合について考えてみる。図２（ａ）に示すように、各受光信号の信号レベルは“０”（暗）〜“１００”（明）までの範囲内の値をとる一方、タッチ判定用の閾値Ｔ１は“１０”、接近判定用の閾値Ｓ１は“２０”に設定されているものとする。この場合、制御回路３００では、上述した２値化処理の際に閾値としてタッチ判定用の閾値Ｔ１を使用していれば、信号レベルが“１０”未満の受光信号を２値化信号“１”へ変換する一方、信号レベルが“１０”以上の受光信号を２値化信号“０”へ変換する。また、制御回路３００では、上述した２値化処理の際に閾値として接近判定用の閾値Ｓ１を使用していれば、信号レベルが“２０”未満の受光信号を２値化信号“１”へ変換する一方、信号レベルが“２０”以上の受光信号を２値化信号“０”へ変換する。
【００２７】
次に、液晶表示装置１の周囲が暗く、表示画面において指やタッチペンが接触した部分が反射光によって明るくなる場合について考えてみる。図２（ｂ）に示すように、各受光信号の信号レベルは、液晶表示装置１の周囲が明るい場合と同様に、“０”（暗）〜“１００”（明）までの範囲内の値をとる一方、タッチ判定用の閾値Ｔ２は“６５”、接近判定用の閾値Ｓ２は“５０”に設定されているものとする。この場合、制御回路３００では、上述した２値化処理の際に閾値としてタッチ判定用の閾値Ｔ２を使用していれば、信号レベルが“６５”以上の受光信号を２値化信号“１”へ変換する一方、信号レベルが“６５”未満の受光信号を２値化信号“０”へ変換する。また、制御回路３００では、上述した２値化処理の際に閾値として接近判定用の閾値Ｓ２を使用していれば、信号レベルが“５０”以上の受光信号を２値化信号“１”へ変換する一方、信号レベルが“５０”未満の受光信号を２値化信号“０”へ変換する。
【００２８】
図３は、このような２値化処理によって得られる１画面分の２値化信号について示す模式図である。なお、同図に示す例は、センサ用走査回路５００が通常モードで動作しており、1画面分の２値化信号がｍ×ｎ個生成された場合である。この例では、画像表示領域Ａ（表示画面）において（２,２），（２,３），（３,２），（３,３）の部分に配置された４個の光検出回路Ｏ１から読み出した各受光信号について、２値化信号の値が“１”になっている。上述したように２値化信号の値が“１”になる部分は、例えば、２値化処理の際に閾値としてタッチ判定用の閾値Ｔ１を使用した場合であれば、受光信号の信号レベルが“１０”未満となるタッチされた部分であり、２値化処理の際に閾値として接近判定用の閾値Ｓ１を使用した場合であれば、受光信号の信号レベルが“２０”未満となる影の部分である。また、２値化処理の際に閾値としてタッチ判定用の閾値Ｔ２を使用した場合であれば、受光信号の信号レベルが“６５”以上となるタッチされた部分、また、２値化処理の際に閾値として接近判定用の閾値Ｓ２を使用した場合であれば、受光信号の信号レベルが“５０”以上となる反射光の強い部分である。
【００２９】
したがって、制御回路３００では、２値化処理の際に閾値としてタッチ判定用の閾値Ｔ（Ｔ１またはＴ２）を使用した場合であれば、１画面分の２値化信号の中に信号値が“１”となる２値化信号が含まれている場合に、タッチがあると判定する一方、信号値が“１”となる２値化信号が含まれていない場合に、タッチがないと判定することができる。また、制御回路３００では、２値化処理の際に閾値として接近判定用の閾値Ｓ（Ｓ１またはＳ２）を使用した場合であれば、１画面分の２値化信号の中に信号値が“１”となる２値化信号が含まれている場合に、接近していると判定する一方、信号値が“１”となる２値化信号が含まれていない場合に、接近していないと判定することができる。このように制御回路３００では、２値化処理の際に使用する閾値を変更することで、タッチ判定と接近判定の２つを行うことができる。
【００３０】
また、制御回路３００では、タッチがあると判定した場合に、２値化信号の値が“１”となる光検出回路Ｏ１の配列位置（Ｘ,Ｙ）から、指やタッチペンによる表示画面上のタッチ位置を検出する。例えば、図３に示した例では、２値化信号の値が“１”となる４個の光検出回路Ｏ１（２,２），（２,３），（３,２），（３,３）の部分がタッチ位置として検出される。
【００３１】
なお、例えば、表示画面上にごみ等が付着して小さな影ができてしまうことがある。また、タッチ入力を意図せずに手のひら全体で表示画面に触れてしまうようなこともある。これらを指やタッチペンによる表示画面へのタッチと誤判定しないよう、制御回路３００では、１画面分の２値化信号のうち、信号値が“１”となる２値化信号の個数を計数し、計数値に基づいてタッチの有無を判定することができる。例えば、制御回路３００では、上述した計数値が所定値以上の場合にタッチがあると判定する一方、計数値が所定値未満の場合にタッチがないと判定してもよい。また、例えば、指やタッチペンの接触面積と、表示画面における光検出回路Ｏ１の配列密度から、指やタッチペンが表示画面に接触した場合に信号値が“１”となる２値化信号の個数の上限値と下限値を設定し、これをメモリに記憶しておく。そして、制御回路３００では、上述した計数値がメモリに記憶された上限値と下限値によって定まる範囲内の値である場合に、タッチがあると判定する一方、計数値が上述した範囲内の値でない場合に、タッチがないと判定してもよい。さらに、信号値が“１”となる複数の２値化信号について、これに対応する光検出回路Ｏ１が隣接しているか否かを考慮するようにしてもよい。また、１画面分の各２値化信号の値を、対応する光検出回路Ｏ１の配列に従って並べ、“１”の部分を黒、“０”の部分を白とした２値画像を作成し、この２値画像の黒の部分の形状が、楕円形や円形（指やタッチペンを表示画面に接触させたときの接触面の形状）であるかを考慮するようにしてもよい。
【００３２】
さらに、以上説明したタッチ判定の場合と同様に接近判定についても、信号値が“１”となる２値化信号の個数を計数し、計数値に基づいて接近の有無を判定することができる。例えば、制御回路３００では、上述した計数値が所定値以上の場合に接近していると判定する一方、計数値が所定値未満の場合に接近していないと判定してもよい。また、例えば、指やタッチペンを表示画面に接近させたときにできる影や反射光の当たる部分の面積と、光検出回路Ｏ１の配列密度から、指やタッチペンが表示画面に接近した場合に信号値が“１”となる２値化信号の個数の上限値と下限値を設定し、これをメモリに記憶しておく。そして、制御回路３００では、上述した計数値が上限値と下限値によって定まる範囲内の値である場合に、接近していると判定する一方、計数値が上述した範囲内の値でない場合に、接近していないと判定してもよい。さらに、信号値が“１”となる複数の２値化信号について、これに対応する光検出回路Ｏ１が隣接しているか否かを考慮するようにしてもよい。また、タッチ判定の場合と同様に、１画面分の２値化信号に基づいて、“１”の部分を黒、“０”の部分を白とした２値画像を作成し、この２値画像の黒の部分の形状が、指やタッチペンを表示画面に接近させたときにできる影や反射光の当たる部分の形状に似ているか否かを考慮するようにしてもよい。
【００３３】
なお、タッチ判定の場合と接近判定の場合では、信号値が“１”となる２値化信号の個数が異なる（例えば、接近時にできる影は、タッチ時にできる影（接触面積）よりも大きい）。したがって、タッチ判定の場合と接近判定の場合では、計数値と比較する上限値や下限値等の値が異なる。また、指やタッチペンの接近や接触に伴って表示画面上に生じる影の大きさと反射光の当たる部分の大きさは異なる。したがって、液晶表示装置１の周囲が明るい場合と暗い場合でも、計数値と比較する上限値や下限値等の値が異なる。さらに、センサ用走査回路５００の動作モードが間引きモードの場合は、走査線の間引きによって１画面分の２値化信号の個数が通常モードの場合の１／１０になる。したがって、センサ用走査回路５００の動作モードが通常モードの場合と間引きモードの場合についても、計数値と比較する上限値や下限値等の値が異なる。
【００３４】
図４は、通常モードと間引きモードについて説明するための図である。
なお、同図において表示画面（画像表示領域Ａ）には、４（行）×３（列）のマトリクス状に計１２個の表示ボタン“１”，“２”，“３”，…，“＊”，“０”，“＃”が表示されている。また、この例では、走査線１から走査線２４０までの計２４０本の走査線が画像表示領域Ａに設けられている。センサ用走査回路５００は、通常モードであれば、２４０本の走査線を１本ずつ順次選択する。つまり、通常モードの場合、走査線１，走査線２，走査線３，…，走査線２３８，走査線２３９，走査線２４０の順に総ての走査線が１本ずつ順次選択される。これに対し、間引きモードの場合、センサ用走査回路５００は、２４０本の走査線を１０本ごとに１本の割合で順次選択する。例えば、センサ用走査回路５００は、走査線１０，走査線２０，走査線３０，…，走査線２２０，走査線２３０，走査線２４０を１本ずつ順次選択する。したがって、間引きモードの場合、２４０本の走査線のうち２４本しか選択されず、残りの２１６本の走査線は選択されずに間引かれる。
【００３５】
このようにセンサ用走査回路５００は、通常モードと間引きモードで動作可能であり、制御回路３００から動作モードの切替えを指示する制御信号を受信すると、この制御信号によって指示された動作モードへ移行する。例えば、センサ用走査回路５００は、間引きモードへの切替えを指示する制御信号を受信すると、動作モードを通常モードから間引きモードに変更し、間引きモードで動作する。また、センサ用走査回路５００は、通常モードへの切替えを指示する制御信号を受信すると、動作モードを間引きモードから通常モードに変更し、通常モードで動作する。
【００３６】
また、液晶表示装置１では、１画面分の受光信号を読み出し、読み出した１画面分の受光信号に基づいてタッチの有無や接近の有無を判定し、タッチがあると判定した場合にはそのタッチ位置を検出する、というタッチ入力機能に関する１サイクル分の処理を所定の周期（例えば、１２０Ｈｚや６０Ｈｚ）ごとに行う。なお、本実施形態では、上述した１サイクル分の処理を６０Ｈｚごとに行っているものとする。また、タッチ入力機能に関する１サイクル分の処理には、上述したようにタッチの有無や接近の有無を判定する処理や、タッチ位置を検出する処理が含まれるため、１画面分の受光信号を読み出す実時間は、１サイクル分の処理を行う１周期分の時間よりも短い時間となる。例えば、上述したように１サイクル分の処理を６０Ｈｚごとに行っている場合であれば、１画面分の受光信号を読み出す実時間は、１６．６ｍｓよりも短い所定の時間幅に設定される。
【００３７】
また、制御回路３００では、複数の受光信号に基づいて環境光の照度を算出し、算出した照度が所定値以上の場合は、液晶表示装置１の周囲が明るい場合であると判別する一方、算出した照度が所定値未満の場合は、液晶表示装置１の周囲が暗い場合であると判別する。なお、環境光の照度は、例えば、１画面分の受光信号についてその信号レベルの平均値を求めることによって算出される。また、１画面分の受光信号を総て使用せずとも、例えば、画像表示領域Ａの四隅に位置する所定数の光検出回路Ｏ１から読み出した受光信号を使用してもよいし、画像表示領域Ａの中央に位置する所定数の光検出回路Ｏ１から読み出した受光信号を使用してもよい。
【００３８】
また、制御回路３００では、検出したタッチ位置の軌跡を示す画像を生成し、この画像を、指やタッチペンによって描かれた文字や絵等の手書き画像として画像表示領域Ａに表示することができる。この場合には、制御回路３００によって生成された手書き画像のデータが入力画像データＤinとして画像処理回路４００に供給される。
【００３９】
図５は、本実施形態に係るモード切替処理１，２の流れを示すフローチャートである。
同図（ａ）に示すモード切替処理１は、センサ用走査回路５００を通常モードで動作させている場合に実行される。なお、液晶表示装置１では、例えば、ユーザによってタッチ入力機能をオンにすることが指示されると、タッチ入力の受付を開始した後、センサ用走査回路５００を通常モードで動作させる。あるいは基本的に総ての操作を指やタッチペンによるタッチ入力で行う液晶表示装置１であれば、電源スイッチが押されて初期処理を終えると、タッチ入力の受付を開始し、センサ用走査回路５００を通常モードで動作させる。
【００４０】
前述したようにセンサ用走査回路５００を通常モードで動作させている場合には、走査線が１本ずつ順次選択され、画像表示領域Ａに備わる総ての光検出回路Ｏ１から受光信号が読み出されている。制御回路３００では、まず、新たに読み出した１画面分の受光信号（ｍ×ｎ個）に基づいて、タッチの有無、すなわち指やタッチペンが表示画面に接触しているか、それとも非接触であるかを判定する（ステップＳ１０１）。
【００４１】
具体的には前述したように、まず、制御回路３００では、１画面分の各受光信号について、その信号レベルをタッチ判定用の閾値Ｔ（詳細には閾値Ｔ１またはＴ２）と比較し、２値化信号に変換する。なお、ここで使用する閾値Ｔは、基本的に、後述するモード切替処理２のステップＳ２０３で設定されるが、環境光の測定結果に基づいて、液晶表示装置１の周囲が明るい状態から暗い状態に変化した場合や、逆に暗い状態から明るい状態に変化した場合は、閾値Ｔ１と閾値Ｔ２の間で適宜変更される。つまり、液晶表示装置１の周囲が明るい場合であれば閾値Ｔ１が使用され、液晶表示装置１の周囲が暗い場合であれば閾値Ｔ２が使用される。次いで、制御回路３００では、生成した１画面分の２値化信号（ｍ×ｎ個）について、例えば、信号値が“１”となる２値化信号の個数を計数し、計数値がメモリに記憶されている上限値と下限値によって定まる範囲内の値である場合に、タッチがあると判定する一方（ステップＳ１０１：ＮＯ）、計数値が上述した範囲内の値でない場合に、タッチがないと判定する（ステップＳ１０１：ＹＥＳ）。なお、前述したように計数値と比較する上限値や下限値の値は、タッチ判定の場合と接近判定の場合や、センサ用走査回路５００の動作モードが通常モードの場合と間引きモードの場合、あるいは液晶表示装置１の周囲が明るい場合と暗い場合で異なる。
【００４２】
ステップＳ１０１においてタッチがあると判定した場合は、モード切替処理１を終える。この場合、センサ用走査回路５００は通常モードで動作し続ける。また、このようにタッチがあると判定した場合、制御回路３００では、モード切替処理１を終えた後、タッチ位置の検出を行う。このタッチ位置の検出の際には、ステップＳ１０１においてタッチの有無を判定する際に生成した１画面分の２値化信号（ｍ×ｎ個）が使用される。
【００４３】
一方、ステップＳ１０１においてタッチがないと判定した場合、制御回路３００では、タッチがないとの判定結果を連続して得ている状態が所定時間（例えば５分）継続しているか否かを判定する（ステップＳ１０２）。前述したようにタッチ入力機能に関する１サイクル分の処理は６０Ｈｚごとに行われているので、ステップＳ１０１の判定結果は６０Ｈｚごとに得られる。したがって、制御回路３００では、タッチがないとの判定結果を連続して得ている回数を計数し、この計数値が上述した所定時間に相当する回数に到達したか否かを判定すればよい。なお、所定時間は、例えば６０秒や３０分等、任意の時間幅に設定することができる。
【００４４】
ステップＳ１０２において所定時間継続していないと判定した場合は、モード切替処理１を終える。この場合もセンサ用走査回路５００は通常モードで動作し続けることになる。一方、ステップＳ１０２において所定時間継続していると判定した場合、制御回路３００では、センサ用走査回路５００の動作モードを通常モードから間引きモードへ切替える（ステップＳ１０３）。このように制御回路３００では、センサ用走査回路５００の動作モードが通常モードである場合は、指やタッチペンが表示画面に非接触であることを所定時間連続して検知すると、センサ用走査回路５００の動作モードを間引きモードに切替える。なお、センサ用走査回路５００の動作モードを間引きモードへ切替える際には、動作モードの切替え（→間引きモード）を指示する制御信号が制御回路３００からセンサ用走査回路５００に送られる。センサ用走査回路５００では、この制御信号を受信すると、動作モードを間引きモードに変更し、間引きモードでの動作を開始する。これによりセンサ用走査回路５００は、走査線を１０本ごとに１本の割合で順次選択することになるため、新たに読み出される１画面分の受光信号の個数は、通常モードの場合の１／１０になる。
【００４５】
ところで、指やタッチペンが表示画面に非接触であることを所定時間連続して検知した場合、すなわちタッチ入力が所定時間ない場合とは、基本的に、指やタッチペンが表示画面から比較的離れた位置にある場合である。したがって、このように指やタッチペンが表示画面から比較的離れた位置にある場合には、次に指やタッチペンが表示画面の近くまで接近したときにセンサ用走査回路５００の動作モードを間引きモードから通常モードに切替えてやればよい。このため制御回路３００では、センサ用走査回路５００の動作モードを間引きモードへ切替えた後、２値化処理の際に使用する閾値を、タッチ判定用の閾値Ｔから接近判定用の閾値Ｓに変更する（ステップＳ１０４）。
【００４６】
前述したように、液晶表示装置１内のメモリには、タッチ判定用の閾値Ｔ１，Ｔ２と接近判定用の閾値Ｓ１，Ｓ２が記憶されているので、制御回路３００では、環境光の測定結果に基づいて液晶表示装置１の周囲の明るさを判別し、液晶表示装置１の周囲が明るい場合は、メモリから接近判定用の閾値Ｓ１を読み出し、この閾値Ｓ１を２値化処理の際に使用する閾値として設定する。また、制御回路３００では、液晶表示装置１の周囲が暗い場合は、メモリから接近判定用の閾値Ｓ２を読み出し、この閾値Ｓ２を２値化処理の際に使用する閾値として設定する。つまり、ステップＳ１０４に示す処理により、２値化処理の際に使用する閾値は、液晶表示装置１の周囲が明るい場合であれば、タッチ判定用の閾値Ｔ１“１０”から接近判定用の閾値Ｓ１“２０”に変更される。また、液晶表示装置１の周囲が暗い場合であれば、タッチ判定用の閾値Ｔ２“６５”から接近判定用の閾値Ｓ２“５０”に変更される。
【００４７】
一方、図５（ｂ）に示すモード切替処理２は、センサ用走査回路５００を間引きモードで動作させている場合に実行される。前述したようにセンサ用走査回路５００を間引きモードで動作させている場合には、走査線が１０本ごとに１本の割合で順次選択されるため、１画面分の受光信号の個数は通常モードの場合の１／１０になる。制御回路３００では、まず、新たに読み出した１画面分の受光信号（ｍ×ｎ／１０個）に基づいて、接近の有無、すなわち指やタッチペンが表示画面の近くまで接近しているか否かを判定する（ステップＳ２０１）。
【００４８】
具体的には前述したように、まず、制御回路３００では、１画面分の各受光信号について、その信号レベルを接近判定用の閾値Ｓ（詳細には閾値Ｓ１またはＳ２）と比較し、２値化信号に変換する。なお、ここで使用する閾値Ｓは、基本的に、前述したモード切替処理１のステップＳ１０４で設定されるが、環境光の測定結果に基づいて、液晶表示装置１の周囲が明るい状態から暗い状態に変化した場合や、逆に暗い状態から明るい状態に変化した場合は、閾値Ｓ１と閾値Ｓ２の間で適宜変更される。つまり、液晶表示装置１の周囲が明るい場合であれば閾値Ｓ１が使用され、液晶表示装置１の周囲が暗い場合であれば閾値Ｓ２が使用される。次いで、制御回路３００では、生成した１画面分の２値化信号（ｍ×ｎ／１０個）について、例えば、信号値が“１”となる２値化信号の個数を計数し、計数値がメモリに記憶されている上限値と下限値によって定まる範囲内の値である場合に、接近していると判定する一方、計数値が上述した範囲内の値でなかった場合に、接近していないと判定する。なお、前述したように計数値と比較する上限値や下限値の値は、タッチ判定の場合と接近判定の場合や、センサ用走査回路５００の動作モードが通常モードの場合と間引きモードの場合、あるいは液晶表示装置１の周囲が明るい場合と暗い場合で異なる。
【００４９】
ステップＳ２０１において接近していないと判定した場合は、モード切替処理２を終える。この場合、センサ用走査回路５００は間引きモードで動作し続ける。一方、ステップＳ２０１において接近していると判定した場合、制御回路３００では、センサ用走査回路５００の動作モードを間引きモードから通常モードへ切替える（ステップＳ２０２）。このように制御回路３００では、センサ用走査回路５００の動作モードが間引きモードである場合は、指やタッチペンが表示画面の近くまで接近したことを検知すると、センサ用走査回路５００の動作モードを通常モードに切替える。なお、センサ用走査回路５００の動作モードを通常モードへ切替える際には、動作モードの切替え（→通常モード）を指示する制御信号が制御回路３００からセンサ用走査回路５００に送られる。センサ用走査回路５００では、この制御信号を受信すると、動作モードを通常モードに変更し、通常モードでの動作を開始する。これによりセンサ用走査回路５００は、総ての走査線（ｍ本）を１本ずつ順次選択することとなるため、画像表示領域Ａに備わる総ての光検出回路Ｏ１から受光信号が読み出されることになる。したがって、新たに読み出される１画面分の受光信号の個数は、ｍ×ｎ個となり、間引きモードの場合の１０倍になる。
【００５０】
ところで、このように指やタッチペンが表示画面の近くまで接近したことを検知した場合とは、ユーザがまさにこれからタッチ入力を行おうとしている場合である。したがって、指やタッチペンが表示画面に接触する可能性が極めて高いので、タッチ判定やタッチ位置の検出に備える必要がある。このため、制御回路３００では、センサ用走査回路５００の動作モードを通常モードに切替えた後、２値化処理の際に使用する閾値を、接近判定用の閾値Ｓからタッチ判定用の閾値Ｔに変更する（ステップＳ２０３）。
【００５１】
前述したように、液晶表示装置１内のメモリには、タッチ判定用の閾値Ｔ１，Ｔ２と接近判定用の閾値Ｓ１，Ｓ２が記憶されているので、制御回路３００では、環境光の測定結果に基づいて液晶表示装置１の周囲の明るさを判別し、液晶表示装置１の周囲が明るい場合は、メモリからタッチ判定用の閾値Ｔ１を読み出し、この閾値Ｔ１を２値化処理の際に使用する閾値として設定する。また、制御回路３００では、液晶表示装置１の周囲が暗い場合は、メモリからタッチ判定用の閾値Ｔ２を読み出し、この閾値Ｔ２を２値化処理の際に使用する閾値として設定する。つまり、ステップＳ２０３に示す処理により、２値化処理の際に使用する閾値は、液晶表示装置１の周囲が明るい場合であれば、接近判定用の閾値Ｓ１“２０”からタッチ判定用の閾値Ｔ１“１０”に変更される。また、液晶表示装置１の周囲が暗い場合であれば、接近判定用の閾値Ｓ２“５０”からタッチ判定用の閾値Ｔ２“６５”に変更される。
【００５２】
なお、前述したように制御回路３００では、タッチ入力機能に関する１サイクル分の処理を６０Ｈｚごとに行っており、この１サイクル分の処理によってタッチ位置を検出した場合に、検出したタッチ位置に基づいて手書き画像の表示を更新する。
【００５３】
このように本実施形態によれば、制御回路３００では、指やタッチペンが表示画面に非接触であることを所定時間連続して検知すると、センサ用走査回路５００の動作モードを通常モードから間引きモードに移行させる。この場合、センサ用走査回路５００は、走査線を１０本ごとに１本の割合で順次選択する。また、制御回路３００では、指やタッチペンが表示画面の近くまで接近したことを検知すると、センサ用走査回路５００の動作モードを間引きモードから通常モードに移行させる。この場合、センサ用走査回路５００は、総ての走査線を１本ずつ順次選択する。
【００５４】
したがって、指やタッチペンが表示画面に非接触であることを所定時間連続して検知してから、次に指やタッチペンが表示画面の近くまで接近したことを検知するまでの間は、センサ用走査回路５００を間引きモードで動作させることで、受光信号を読み出す光検出回路Ｏ１の個数を通常モードの場合の１／１０に減らすことができる。このため、受光信号の読み出しや２値化処理に要する処理負荷を大幅に軽減することが可能となり、液晶表示装置１の電力消費を低減することができる。また、指やタッチペンが表示画面の近くまで接近したことを検知してから、次に指やタッチペンが表示画面に非接触であることを所定時間連続して検知するまでの間は、センサ用走査回路５００を通常モードで動作させることで、表示画面に配列された総ての光検出回路Ｏ１から受光信号を読み出し、高い精度でタッチ判定やタッチ位置の検出を行うことが可能になる。特に、センサ用走査回路５００の動作モードを間引きモードから通常モードに移行させるタイミングを、タッチを検知したときではなく接近を検知したときにすることで、指やタッチペンが実際に表示画面に触れる前に、タッチ判定やタッチ位置の検出に関する精度を高めておくことができる。
【００５５】
＜２．電子機器＞
次に、上述した液晶表示装置１を適用した電子機器について説明する。
図６に、液晶表示装置１を適用したモバイル型のパーソナルコンピュータの構成を示す。パーソナルコンピュータ２０００は、表示ユニットおよびタッチ入力ユニットとしての液晶表示装置１と、本体部２０１０とを備える。また、本体部２０１０には、電源スイッチ２００１とキーボード２００２が設けられている。
図７に、液晶表示装置１を適用した携帯電話機の構成を示す。携帯電話機３０００は、表示ユニットおよびタッチ入力ユニットとしての液晶表示装置１と、複数の操作ボタン３００１と、スクロールボタン３００２とを備える。スクロールボタン３００２を操作することで、液晶表示装置１に表示される画面がスクロールされる。
図８に、液晶表示装置１を適用した携帯情報端末（ＰＤＡ：Personal Digital Assistants）の構成を示す。携帯情報端末４０００は、表示ユニットおよびタッチ入力ユニットとしての液晶表示装置１と、複数の操作ボタン４００１と、電源スイッチ４００２とを備える。操作ボタン４００１を操作すると、住所録やスケジュール帳といった各種の情報が液晶表示装置１に表示される。
なお、液晶表示装置１が適用される電子機器としては、図６〜図８に示すものの他、デジタルスチルカメラ、カーナビゲーション装置、電子手帳、ワードプロセッサ、ワークステーション、テレビ電話、ＰＯＳ端末、ＡＴＭ（Automated Teller Machine：現金自動預け払い機）、自動販売機等が挙げられる。そして、これらの各種電子機器の表示ユニットおよびタッチ入力ユニットとして、前述した液晶表示装置１が適用可能である。また、特に携帯機器の場合は、本発明を適用して余計な電力消費を抑えることで、一回の充電（あるいは１回の電池交換）で動作可能な時間を延ばすことができる。
【００５６】
＜３．変形例＞
本発明は上述した実施形態に限定されるものではなく、例えば、以下に述べる各種の変形が可能である。
（１）走査線の総数ｍと読出線の総数ｎは、ともに２以上の整数であればよい。また、間引きモードでは、走査線を２本ごとに１本、あるいは１５本ごとに１本の割合で順次選択する構成であってもよい。このように間引きモードでは、走査線をＮ（２以上でｍ以下の整数）本ごとに１本の割合で順次選択すればよい。また、上述した実施形態では、タッチ入力の受付を開始すると通常モードに移行する場合について説明したが、タッチ入力の受付を開始すると間引きモードに移行する構成であってもよい。
【００５７】
（２）上述した実施形態では、指やタッチペンが表示画面の近くまで接近したことを検知すると、センサ用走査回路５００の動作モードを間引きモードから通常モードに切替える場合について説明したが、指やタッチペンが表示画面に接触したことを検知した場合に、センサ用走査回路５００の動作モードを間引きモードから通常モードに切替える構成であってもよい。また、上述した実施形態では、タッチ入力が所定時間ないことを検知すると、センサ用走査回路５００の動作モードを通常モードから間引きモードに切替える場合について説明したが、指やタッチペンが表示画面の近くまで接近していないことを所定時間連続して検知した場合に、センサ用走査回路５００の動作モードを通常モードから間引きモードに切替える構成であってもよい。
【００５８】
（３）上述した実施形態では、１画素（画素回路Ｐ１）ごとに光検出回路Ｏ１を備える構成としたが、例えば、上下左右の４つの画素（画素回路Ｐ１）ごとに光検出回路Ｏ１を１つ備える構成であってもよい。また、光検出回路Ｏ１の配列パターンは、マトリクス状に限定されない。例えば、市松模様（チェス柄）における黒（または白）の配列パターンとなるように、画像表示領域Ａに各光検出回路Ｏ１を形成してもよい。
【００５９】
（４）本発明に係る表示装置は、半透過型や反射型の液晶表示装置、あるいはＯＬＥＤ（Organic Light Emitting Diode：有機発光ダイオード）素子を用いた表示装置であってもよい。ＯＬＥＤ素子は、光の透過量を変化させる液晶素子とは異なり、それ自体が発光する電流駆動型の発光素子である。また、本発明に係る表示装置は、液晶素子やＯＬＥＤ素子以外の電気光学素子を用いた表示装置であってもよい。なお、電気光学素子とは、電気信号（電流信号または電圧信号）の供給によって透過率や輝度といった光学的特性が変化する素子である。例えば、無機ＥＬ（ElectroLuminescence）や発光ポリマー等の発光素子を用いた表示パネルや、着色された液体と当該液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいはヘリウムやネオン等の高圧ガスを電気光学物質として用いたプラズマディスプレイパネル等を備えた表示装置に対しても本発明を適用することができる。
【００６０】
（５）本発明に係るセンシング装置は、いわゆるジェスチャー機能を備え、指やタッチペンによって線や簡単な図形等が画面上に描かれると、その形に対応する操作コマンド（例えば、スクロール、次のページに進む、前のページに戻る、ペースト、コピー、削除、元に戻す等）を特定し、特定した操作コマンドに応じた処理を行うコンピュータ装置にも適用可能である。この場合は、指やタッチペンによって描かれた線や図形を示す画像を表示する必要はない。このように本発明に係るセンシング装置において、検出したタッチ位置の軌跡を示す画像を生成し、これを表示することは必須ではない。
【図面の簡単な説明】
【００６１】
【図１】液晶表示装置１の構成を示すブロック図である。
【図２】タッチ判定用の閾値Ｔ１，Ｔ２と接近判定用の閾値Ｓ１，Ｓ２について説明するための図である。
【図３】１画面分の２値化信号について示す模式図である。
【図４】通常モードと間引きモードについて説明するための図である。
【図５】モード切替処理１，２の流れを示すフローチャートである。
【図６】本発明に係る電子機器の具体例／パーソナルコンピュータ２０００を示す斜視図である。
【図７】本発明に係る電子機器の具体例／携帯電話機３０００を示す斜視図である。
【図８】本発明に係る電子機器の具体例／携帯情報端末４０００を示す斜視図である。
【符号の説明】
【００６２】
１…液晶表示装置、１００…走査線駆動回路、２００…データ線駆動回路、３００…制御回路、４００…画像処理回路、５００…センサ用走査回路、６００…受光信号処理回路、ＡＡ…液晶パネル、Ａ…画像表示領域、Ｐ１…画素回路、Ｏ１…光検出回路、２０００…パーソナルコンピュータ、３０００…携帯電話機、４０００…携帯情報端末。
【図１】
0004720833.tif 000002
【図２】
0004720833.tif 000003
【図３】
0004720833.tif 000004
【図４】
0004720833.tif 000005
【図５】
0004720833.tif 000006
【図６】
0004720833.tif 000007
【図７】
0004720833.tif 000008
【図８】
0004720833.tif 000009